(57)【要約】【課題】  個々のユーザがわかりやすいシーン選択画面を、設定される撮影条件を対応付けながら、ユーザが自由に作成して追加することを可能とする。【解決手段】  撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えた撮像装置に対して、新たに選択可能とするシーン選択画面を追加するに際し、シーン選択画面の表示構成要素が表示される領域毎に領域分割したテンプレートを用意し、前記領域毎に、各表示構成要素を個別に入力するとともに、前記各構成要素が入力されたテンプレートを前記追加するシーン選択画面として設定する。【選択図】  図５
2007336514.tif 000002
【特許請求の範囲】
【請求項１】
互いに異なる表示構成要素が表示される領域毎に領域分割したテンプレートを記憶したテンプレート記憶手段と、
前記テンプレート記憶手段に記憶されているテンプレートの前記領域毎に、各表示構成要素を個別に入力制御する入力制御手段と、
前記入力制御手段により表示構成要素が入力されたテンプレートをシーン選択画面として設定するシーン選択画面設定手段と、
シーン選択画面設定手段により設定されたシーン選択画面に撮影条件を対応付ける撮影条件付加手段と、
を備えたことを特徴とするシーン選択画面生成装置。
【請求項２】
前記表示構成要素に、少なくとも、サンプル画像、シーンタイトル、撮影時に得られる画像の画質説明、または、撮影時のカメラの動作説明のいずれかが、含まれることを特徴とする請求項１記載のシーン選択画面生成装置。
【請求項３】
撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えた撮像装置に対して、新たに選択可能とするシーン選択画面を追加するシーン選択画面追加システムであって、
シーン選択画面の表示構成要素が表示される領域毎に領域分割したテンプレートを記憶したテンプレート記憶手段と、
前記テンプレート記憶手段に記憶されているテンプレートの前記領域毎に、各表示構成要素を個別に入力制御する入力制御手段と、
前記入力制御手段により表示構成要素が入力されたテンプレートを前記追加するシーン選択画面として設定するシーン選択画面設定手段と、
シーン選択画面設定手段により設定されたシーン選択画面に撮影条件を対応付ける撮影条件付加手段と、
前記シーン選択画面設定手段により設定されたシーン選択画面の表示順位を設定する表示順位設定手段と、
前記撮像装置が各シーン選択画面を表示する際に、予め用意されていた各シーン選択画面間での表示順位を変更することなく、前記表示順位設定手段により設定された表示順位に基づいて表示するように、前記シーン選択画面設定手段により設定されたシーン選択画面を追加する追加手段と、
を備えたことを特徴とするシーン選択画面追加システム。
【請求項４】
互いに異なる表示構成要素が表示される領域毎に領域分割したテンプレートの前記領域毎に、各表示構成要素を個別に入力制御する入力制御工程と、
前記入力制御工程で表示構成要素が入力されたテンプレートをシーン選択画面として設定するシーン選択画面設定工程と、
シーン選択画面設定工程で設定されたシーン選択画面に撮影条件を対応付ける撮影条件付加工程と、
を有したことを特徴とするシーン選択画面生成方法。
【請求項５】
撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えた撮像装置に対して、新たに選択可能とするシーン選択画面を追加するシーン選択画面追加方法であって、
シーン選択画面の表示構成要素が表示される領域毎に領域分割したテンプレートの前記領域毎に、各表示構成要素を個別に入力制御する入力制御工程と、
前記入力制御工程で表示構成要素が入力されたテンプレートを前記追加するシーン選択画面として設定するシーン選択画面設定工程と、
シーン選択画面設定工程で設定されたシーン選択画面に撮影条件を対応付ける撮影条件付加工程と、
前記シーン選択画面設定工程で設定されたシーン選択画面の表示順位を設定する表示順位設定工程と、
前記撮像装置が各シーン選択画面を表示する際に、予め用意されていた各シーン選択画面間での表示順位を変更することなく、前記表示順位設定工程で設定された表示順位に基づいて表示するように、前記シーン選択画面設定工程で設定されたシーン選択画面を追加する追加工程と、
を有したことを特徴とするシーン選択画面追加方法。
【請求項６】
コンピュータに、互いに異なる表示構成要素が表示される領域毎に領域分割したテンプレートの前記領域毎に、各表示構成要素を個別に入力制御する入力制御処理と、
前記入力制御処理で表示構成要素が入力されたテンプレートをシーン選択画面として設定するシーン選択画面設定処理と、
シーン選択画面設定処理で設定されたシーン選択画面に撮影条件を対応付ける撮影条件付加処理と、
を実行させることを特徴とするプログラム。
【発明の詳細な説明】
【技術分野】
【０００１】
本発明は、撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えた撮像装置に対して、新たに選択可能とするシーン選択画面を追加するための、シーン選択画面生成装置、シーン選択画面追加システム、シーン選択画面生成方法、シーン選択画面追加方法、及びプログラムに関する。
【背景技術】
【０００２】
今日においては、シーン選択機能を搭載したデジタルカメラが出現している。このシーン選択機能では、「風景」、「夜景」、「人物」等のシーンに対応させて、これらのシーンを撮影するために最適な撮影条件（絞り、シャッタ速度、ホワイトバランス、色合い調整など）が登録されている。そして、いずれかのシーンを選択すると、自動的に選択されたシーンに対応した撮影条件が設定される。これにより、シーン毎にそれぞれ最適な撮影条件で撮影を行うことができる。
【０００３】
また、「風景」、「夜景」、「人物」等のシーンを予め設定されているサンプル画像として表示させる場合には、表示したサンプル画像とともに、「人物を写します」、「色強調が肌色に設定されます」等の解説が表示される。これにより、どのようなシーンの撮影に最適であるか、あるいはどのような撮影条件が設定されるかをユーザは予め容易に知ることができる。つまり、ユーザは、表示されているサンプル画像や解説に基づいてわかりやすくシーンを選択することができ、結果として、撮影しようとするシーンを適切な撮影条件で撮影することができる（特許文献１）。
【０００４】
なお、サンプル画像やそれに対応する解説は、シーン毎に、シーン選択画面として表示される。そして、所望のシーン選択画面を選択して確定すると、それに対応する撮影条件が設定される。
【０００５】
さらに、ユーザが撮影した画像に対応させて、該画像の撮影時における撮影条件を登録しておくことが可能なデジタルカメラも提案されている。このデジタルカメラにおいては、過去に撮影した画像の中から任意の画像を選択すると、該選択された画像に対応した撮影条件が自動的に設定される。従って、ユーザは撮影結果のイメージを過去に撮影された画像で確認しながら、その画像の撮影時と同一の撮影条件で撮影を行うことができる（特許文献２）。
【０００６】
【特許文献１】特開２００２−１０１３３
【特許文献２】特開２００２−１０１３４
【発明の開示】
【発明が解決しようとする課題】
【０００７】
しかしながら、特許文献２に記載のデジタルカメラでは、自分で撮影した画像については、単に画像を表示させるのみである。このため、当該画像に基づいて撮影条件を設定する場合には、当該画像に対応する撮影条件がどのようなシーンに最適な撮影条件であるかがわかりにくいという問題がある。また、シーン選択画面に解説と関連付けて表示される画像を、自分で撮影した画像に変更するような場合には、画像の変更に伴って撮影条件も変更されてしまう。このとき、解説は変更されないため、撮影条件と解説とが不一致となってしまうという問題もある。つまり、従来技術においては、画像と撮影条件とのみが、常に連動して、新たに記録されていく、または、更新記録されていくため、ユーザが新たなシーンを想定して、それにふさわしい情報画面（シーン選択画面）を生成するための自由度が低かった。
【０００８】
本発明は、かかる従来の問題点に鑑みてなされたものであり、個々のユーザがわかりやすいシーン選択画面を、設定される撮影条件を対応付けながら、ユーザが自由に作成して追加することができるシーン選択画面生成装置、シーン選択画面追加システム、シーン選択画面生成方法、シーン選択画面追加方法、及びプログラムを提供することを目的とする。
【課題を解決するための手段】
【０００９】
上記目的達成のため、請求項１記載の発明によるシーン選択画面生成装置は、互いに異なる表示構成要素が表示される領域毎に領域分割したテンプレートを記憶したテンプレート記憶手段と、前記テンプレート記憶手段に記憶されているテンプレートの前記領域毎に、各表示構成要素を個別に入力制御する入力制御手段と、前記入力制御手段により表示構成要素が入力されたテンプレートをシーン選択画面として設定するシーン選択画面設定手段と、シーン選択画面設定手段により設定されたシーン選択画面に撮影条件を対応付ける撮影条件付加手段と、を備えたことを特徴とする。
【００１０】
また、請求項２記載の発明は、請求項１記載の発明において、前記表示構成要素に、少なくとも、サンプル画像、シーンタイトル、撮影時に得られる画像の画質説明、または、撮影時のカメラの動作説明のいずれかが、含まれることを特徴とする。
【００１１】
上記目的達成のため、請求項３記載の発明によるシーン選択画面追加システムは、撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えた撮像装置に対して、新たに選択可能とするシーン選択画面を追加するシーン選択画面追加システムであって、シーン選択画面の表示構成要素が表示される領域毎に領域分割したテンプレートを記憶したテンプレート記憶手段と、前記テンプレート記憶手段に記憶されているテンプレートの前記領域毎に、各表示構成要素を個別に入力制御する入力制御手段と、前記入力制御手段により表示構成要素が入力されたテンプレートを前記追加するシーン選択画面として設定するシーン選択画面設定手段と、シーン選択画面設定手段により設定されたシーン選択画面に撮影条件を対応付ける撮影条件付加手段と、前記シーン選択画面設定手段により設定されたシーン選択画面の表示順位を設定する表示順位設定手段と、前記撮像装置が各シーン選択画面を表示する際に、予め用意されていた各シーン選択画面間での表示順位を変更することなく、前記表示順位設定手段により設定された表示順位に基づいて表示するように、前記シーン選択画面設定手段により設定されたシーン選択画面を追加する追加手段と、を備えたことを特徴とする。
【００１２】
上記目的達成のため、請求項４記載の発明によるシーン選択画面生成方法は、互いに異なる表示構成要素が表示される領域毎に領域分割したテンプレートの前記領域毎に、各表示構成要素を個別に入力制御する入力制御工程と、前記入力制御工程で表示構成要素が入力されたテンプレートをシーン選択画面として設定するシーン選択画面設定工程と、シーン選択画面設定工程で設定されたシーン選択画面に撮影条件を対応付ける撮影条件付加工程と、を有したことを特徴とする。
【００１３】
上記目的達成のため、請求項５記載の発明によるシーン選択画面追加方法は、撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えた撮像装置に対して、新たに選択可能とするシーン選択画面を追加するシーン選択画面追加方法であって、シーン選択画面の表示構成要素が表示される領域毎に領域分割したテンプレートの前記領域毎に、各表示構成要素を個別に入力制御する入力制御工程と、前記入力制御工程で表示構成要素が入力されたテンプレートを前記追加するシーン選択画面として設定するシーン選択画面設定工程と、シーン選択画面設定工程で設定されたシーン選択画面に撮影条件を対応付ける撮影条件付加工程と、前記シーン選択画面設定工程で設定されたシーン選択画面の表示順位を設定する表示順位設定工程と、前記撮像装置が各シーン選択画面を表示する際に、予め用意されていた各シーン選択画面間での表示順位を変更することなく、前記表示順位設定工程で設定された表示順位に基づいて表示するように、前記シーン選択画面設定工程で設定されたシーン選択画面を追加する追加工程と、を有したことを特徴とする。
【００１４】
上記目的達成のため、請求項６記載の発明によるプログラムは、コンピュータに、互いに異なる表示構成要素が表示される領域毎に領域分割したテンプレートの前記領域毎に、各表示構成要素を個別に入力制御する入力制御処理と、前記入力制御処理で表示構成要素が入力されたテンプレートをシーン選択画面として設定するシーン選択画面設定処理と、シーン選択画面設定処理で設定されたシーン選択画面に撮影条件を対応付ける撮影条件付加処理と、を実行させることを特徴とする。
【発明の効果】
【００１５】
本発明によれば、個々のユーザがわかりやすいシーン選択画面を、設定される撮影条件を対応付けながら、ユーザが自由に作成して追加することができる。
【発明を実施するための最良の形態】
【００１６】
以下、図面を参照して本発明の実施の形態を説明する。本発明のシーン選択画面追加システムは、Ｉ／Ｏポートを介して互いに接続可能なパーソナルコンピュータ（以下、『ＰＣ』と記す）と撮像装置としてのデジタルカメラから構成されている。
【００１７】
図１は、ＰＣ１の電気的な概略構成を示すブロック図である。ＰＣ１は、ＣＰＵ２、ＲＯＭ３、メモリ４、マウス５、キーボード６、記録媒体７、表示部８、Ｉ／Ｏポート９、カードＩ／Ｆ１０を備えており、カードＩ／Ｆ１０には図示しない当該ＰＣのカードスロットに着脱自在に装着された外部記録媒体１１が接続されている。
【００１８】
ＣＰＵ２は、画像データの圧縮、伸張等の処理を含む各種のデジタル信号処理機能を有するとともにＰＣ１の各部を制御する。特に、後述する新たな種別のシーンを選択可能とするためのセットアップファイルを作成する機能を有する。また、ＲＯＭ３は、ＣＰＵ２による各部の制御に必要な制御プログラム及び各部制御に必要なデータが記録されている。そして、ＣＰＵ２は、このプログラムに従い動作する。特に、セットアップファイルを作成するためのプログラムを記憶した実行ファイルもインストールされている。
【００１９】
メモリ４は、種々のデータを一時記憶するバッファメモリであるとともに、ＣＰＵ２のワーキングエリアとしても使用される。マウス５、キーボード６は、各操作キーを含み、キー操作に応じた操作信号をＣＰＵ２に送る。記録媒体７は、ハードディスクや不揮発性メモリ等のデータを保存する内蔵メモリである。表示部８は、カラーＬＣＤとその駆動回路を含み、画像を表示させる。
【００２０】
Ｉ／Ｏポート９は、外部の電子機器（例えば撮像装置としてのデジタルカメラ）との間でデータの入出力を行うものであり、ＵＳＢ（Universal Serial Bus）規格、ＩＥＥＥ１３９４規格などの各種インターフェース規格による入出力が可能になっている。つまり、これらの規格によるデータ入出力可能なデジタルカメラなどの電子機器と接続可能に構成されている。また、ＩｒＤＡ規格による赤外線通信、Ｂｌｕｅｔｏｏｔｈ規格による無線通信により外部の電子機器と画像ファイルのデータの入出力を行うようにしてもよい。
【００２１】
カードＩ／Ｆ１０は、ＰＣ１と外部記録媒体１１との間でデータの入出力を可能とするものである。つまり、ＣＰＵ２は、カードＩ／Ｆ１０を介して、外部記録媒体１１に記録されているデータを読み出したり、記録媒体７に記録されているデータを外部記録媒体１１に記録したりすることができる。
【００２２】
図９は、ＰＣ１のＩ／Ｏポート９を介して接続可能なデジタルカメラ５１の電気的な概略構成を示すブロック図である。デジタルカメラ５１は、撮影レンズ５２、レンズ駆動回路５３、絞り兼用シャッタ５４、ＣＣＤ５５、ドライバ５６、ＴＧ（timing generator）５７、ユニット回路５８、メモリ５９、ＣＰＵ６０、ＤＲＡＭ６１、画像表示部６２、着脱可能なフラッシュメモリ６３、キー入力部６４、バス６５を備えている。
【００２３】
撮影レンズ５２は、図示しない複数のレンズ群から構成されるフォーカスレンズ、ズームレンズ等を含み、フォーカスレンズ及びズームレンズには、レンズ駆動回路５３が接続されている（図示略）。レンズ駆動回路５３は、フォーカスレンズ及びズームレンズを光軸方向にそれぞれ移動させるモータ（図示略）と、ＣＰＵ６０から送られてくる制御信号にしたがってフォーカスモータ及びズームモータをそれぞれ駆動させるモータドライバ（図示略）とから構成されている。
【００２４】
絞り兼用シャッタ５４は、図示しない駆動回路を含み、駆動回路はＣＰＵ６０から送られてくる制御信号にしたがって絞り兼用シャッタを動作させる。この絞り兼用シャッタは、絞りとシャッタとして機能する。絞りとは、撮影レンズ５２から入ってくる光の量を制御する機構のことをいい、シャッタとは、ＣＣＤ５５に光を当てる時間を制御する機構のことをいう。ＣＣＤ５５に光を当てる時間（露出時間）は、シャッタの開閉の速度（シャッタ速度）によって変わってくる。ＣＣＤ５の露出は、この絞りとシャッタ速度によって変わる。
【００２５】
ＣＣＤやＣＭＯＳ等の撮像素子（ここではＣＣＤ５）は、ドライバ５６によって走査駆動され、一定周期毎に被写体像のＲＧＢ値の各色の光の強さを光電変換して撮像信号としてユニット回路８に出力する。このドライバ５６、ユニット回路５８の動作タイミングはＴＧ５７を介してＣＰＵ６０により制御される。なお、ＣＣＤ５５はベイヤー配列の色フィルターを有しており、電子シャッタとしての機能も有する。この電子シャッタのシャッタ速度は、ドライバ５６、ＴＧ５７を介してＣＰＵ６０によって制御される。
【００２６】
ユニット回路５８にはＴＧ５７が接続されており、ＣＣＤ５５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５５の撮像信号は、ユニット回路５８を経てデジタル信号としてＣＰＵ６０に送られる。
【００２７】
ＣＰＵ６０は、ユニット回路５８から送られてきた画像データに対してガンマ補正、補間処理、ホワイトバランス処理、輝度色差信号（ＹＵＶデータ）の生成処理などの画像処理、画像データの圧縮・伸張等をする機能を有するとともに、デジタルカメラ５１の各部を制御するワンチップマイコンである。また、ＣＰＵ６０はクロック回路を含み、タイマーとしての機能も有する。特に、本実施の形態では、ＣＰＵ６０は、シーンが選択されることでそのシーンに対応した撮影条件を自動的に設定するシーン選択機能を有する。つまり、撮影条件設定手段としても機能する。
【００２８】
メモリ５９には、ＣＰＵ６０の各部の制御に必要な制御プログラム、及び必要なデータが格納されており、ＣＰＵ６０は、該プログラムに従って動作する。また、本発明に必要な情報を記憶する記憶領域も有している。ＤＲＡＭ６１は、ＣＣＤ５５によってそれぞれ撮像された後、ＣＰＵ６０に送られてきた画像データを一時記憶するバッファメモリとして使用されるとともに、ＣＰＵ６０のワーキングメモリとして使用される。
【００２９】
画像表示部６２は、電子ファインダーとしてのカラーＬＣＤとその駆動回路を含み、撮影待機状態にあるときには、ＣＣＤ６５によって撮像された被写体をスルー画像として表示し、記録画像の再生時には、フラッシュメモリ６３から読み出され、伸張された記録画像を表示させる。フラッシュメモリ６３は、ＣＣＤ５５によって撮像された画像データなどを保存しておく記録媒体である。
【００３０】
キー入力部６４は、電源ボタン、シャッタボタン、ベストショットモードボタン、モード切替キー、メニューキー、ズームキー、十字キー等の複数の操作キーを含み、ユーザのキー操作に応じた操作信号をＣＰＵ６０に出力する。なお、ズームキーには、「Ｗ」キー、「Ｔ」キーなどが含まれる。また、図１０に示すように、十字キー７０には、「→」キー７１、「←」キー７２、「↑」キー７３、「↓」キー７４、「セット」キー７５などが含まれる。
【００３１】
次に本実施の形態の概略について説明する。本実施の形態は、撮像装置、例えば、デジタルカメラ５１などで、シーンを選択することでそのシーンに対応した撮影条件を容易に設定可能にするシーン選択機能において、新たな種別のシーンを選択可能とするためのセットアップファイルを事前にＰＣ１等により作成し、当該作成したセットアップファイルに基づいて当該デジタルカメラで新たな種別のシーンもが選択可能となるようにセットアップするというものである。
【００３２】
まず、デジタルカメラ５１におけるシーン選択機能について説明する。デジタルカメラ５１のメモリ５９には、予め、それぞれシーンに対応させて、撮影条件データ（絞り、シャッタ速度、ホワイトバランス、色合い調整など）が記憶されている。それぞれシーンに対応させて、シーンのタイトル、撮影時における当該デジタルカメラの撮影動作や撮影時に得られる画像の画質の説明（以下、「解説」と記す）、及びサンプル画像からなる付加情報データが記憶されている。また、各シーンには、番号が付されている。
【００３３】
そして、シーン選択機能の起動時には、例えば、シーンに対応したサンプル画像やそのタイトル、その解説からなるシーン選択画面が、画像表示部６２に、シーン毎に順次表示される。このとき、ユーザがキー入力部６４を介して所望のシーン選択画面を選択すると、選択されたシーン選択画面に対応した撮影条件が、当該シーン選択画面に対応したシーンの撮影条件として自動的に設定される。
【００３４】
図２（ａ）は、撮影条件の内容を示す例であり、シーン毎に、シャッタ速度、絞り、ＥＶシフト、色強調などが記憶されている。また、図２（ｂ）は、付加情報データの内容を示す例であり、「人物を写します」というシーンの内容を示したタイトル、「色強調が肌色に設定されます。望遠側にすると背景がきれいにぼけます」といった解説、及びサンプル画像が、シーン毎に記憶されている。
【００３５】
そして、ユーザは、シーン選択画面に表示される、上述したようなシーンのタイトルや、解説、サンプル画像を、各シーン選択画面間で見比べることにより、撮影する状況に適したシーンをわかりやすく選択することができ、結果として、撮影する状況に適した撮影条件で被写体を撮影することができる。
【００３６】
上述したシーン選択機能は、例えば、デジタルカメラ５１のベストショットモードボタンを押下することにより開始される。そして、デジタルカメラ５１の電子ファインダーに、所定のシーンに対応したシーン選択画面が表示される。そして、シーン選択画面は、デジタルカメラの所定のキー操作により、他のシーンに対応したシーン選択画面に、順次切り換えられることが可能となっている。なお、シーン選択画面は、例えばシーン毎に付加されている番号順に従って表示される。また、前回選択されたシーンの番号をラストメモリしておき、シーン選択機能の起動当初は、該ラストメモリされている番号に対応するシーン選択画面を表示させるようにしてもよい。
【００３７】
図３（ａ）は、表示されたシーン選択画面の様子を示すものである。シーン選択画面には、所定のシーンに対応するサンプル画像と、シーンタイトル、解説が表示される。つまり、シーンに対応する付加情報データが表示される。なお、右上の数字が現在表示しているシーンに対応する番号である。
【００３８】
シーン選択画面の表示中に、ユーザが、例えばデジタルカメラ５１における十字キー中の「→」キーを操作すると、次の番号に対応するシーン選択画面が表示され、「←」キーを操作すると、前の番号に対応するシーン選択画面が表示される。なお、何れかのシーン選択画面の表示中に、ユーザが、例えばズームキー中の「Ｗ」キーを操作すると、各シーンに対応して記憶されているサンプル画像が所定枚数分一覧表示される一覧表示画面を表示する。
【００３９】
図３（ｂ）は、一覧表示画面で一覧表示された各シーンに対応するサンプル画像の様子を示すものである。一覧表示画面では、例えばシーン番号が１番目から１２番目までを一組、１２〜２４番目を一組とするように、サンプル画像が１２枚ずつ組分けされて、それぞれ異なる一覧表示画面として表示される。そして、ユーザによるデジタルカメラの所定のキー操作に基づいて、サンプル画像１２枚からなる一覧表示画面を順次切り替えることができる。なお、シーン選択画面から一覧表示画面への移行当初は、表示されていたシーン選択画面に対応するサンプル画像が含まれる一覧表示画面が表示される。そして、一覧表示画面中の、それまで表示されていたシーン選択画面に対応するサンプル画像が識別可能なように表示される。例えば、当該サンプル画像を太枠で囲んで表示する。このとき、さらに、識別可能に表示されているサンプル画像に対応するシーンタイトルを表示してもよい。図３（ｂ）に示す例では、１番目のサンプル画像が識別表示されているので、一覧表示の下に１番目のサンプル画像に対応するシーンタイトルが表示される。
【００４０】
また、一覧表示画面の表示中に、ユーザが、例えばデジタルカメラにおける十字キー中の「→」キーを操作すると、次の番号に対応するサンプル画像が識別表示され、「←」キーを操作すると、前の番号に対応するサンプル画像が識別表示される。更に、何れかのサンプル画像の識別表示中に、ユーザが、例えばズームキーの「Ｔ」キーを操作すると、識別表示されているサンプル画像に対応するシーン選択画面に移行する。
【００４１】
このように、所望のシーン選択画面を表示させ、または、一覧表示画面で所望のサンプル画像を識別表示させて、例えばデジタルカメラにおける「セット」キーの操作を行なうと、表示されていたシーン選択画面、または、識別表示されていたサンプル画像に対応する撮影条件が自動的に設定され、ユーザは当該設定された撮影条件で被写体を撮影することができる。
【００４２】
本発明は、上述したような、シーン設定画面や一覧表示画面に基づいて撮影条件が自動的に設定される新たな種別のシーンが選択可能となるように設定するためのものである。
【００４３】
ここで、撮影シーンセットアップシステムの概略動作を説明しておく。まず、ＰＣ１上で、追加したいシーンに対応するシーン選択画面を作成していく過程で、追加したいシーンに対応する付加情報データを設定していく。次に、該設定した付加情報データ、つまり、作成したシーン選択画面と、これに対応する撮影条件とを関連付けて、デジタルカメラ５１にセットアップ可能なセットアップファイルを生成する。そして、デジタルカメラ５１において、該生成されたセットアップファイルに基づいて新たな種別のシーンが選択可能となるようにセットアップするというものである。
【００４４】
以下、ＰＣ１でのセットアップファイル作成動作を、新たに選択可能とするシーンに対応する付加情報データの設定と、設定した付加情報データとそれに対応する撮影条件との関連付けと、に分けて説明し、最後に、ＰＣ１で作成したセットアップファイルに基づいたデジタルカメラ５１へのセットアップについて説明する。
【００４５】
付加情報データの設定のための動作を図４のフローチャートに従って説明する。ＰＣ１において、セットアップファイル作成プログラムが起動されると、ＣＰＵ２は、表示部８に付加情報データを設定するための画面を表示させる（ステップＳ１）。
【００４６】
図５（ａ）または図５（ｂ）は、そのときの様子を示している。表示部８には、テンプレートとしてのシーン選択画面サンプル２１と、設定した付加情報データを確定するための決定ボタン２２が表示される。ここで表示されるシーン選択画面サンプル２１は、デジタルカメラでシーン選択画面として表示される際のサンプルとして表示される。なお、決定ボタン２２の操作により、詳細は後述するように、設定される付加情報を確定させた際には、付加情報を設定していく過程に従って完成されたシーン選択画面サンプル２１が、デジタルカメラで表示されるシーン選択画面として確定する。
【００４７】
シーン選択画面サンプル２１は、当該付加情報データ（「表示構成要素」）として設定される、「シーン番号」を表示させるための領域２と、「サンプル画像」を表示させるための領域３と、「シーンタイトル」を表示させるための領域４と、「解説」を表示させるための領域５と、「背景画像」を表示させるための、領域２〜領域５以外の領域１を有している。つまり、表示構成要素として、シーン番号、サンプル画像、シーンタイトル及び背景画像が、後述するように表示される。なお、解説には、前述したように、撮影時における当該デジタルカメラの撮影動作と、撮影時に得られる画像の画質の説明とが含まれる。
【００４８】
次いで、ＣＰＵ２は、当該付加情報データとして設定するサンプル画像を選択設定するか否かの判断を行う（ステップＳ２）。この判断は、ユーザによるマウス５またはキーボード６の操作によりカーソルがサンプル画像を表示するための領域３に移動され、且つ、クリック操作が行なわれたか否かにより判断する。
【００４９】
ステップＳ２で、新たにサンプル画像が選択設定されると判断した場合は、ＣＰＵ２は、記録媒体７又は外部記録媒体１１に記録されている画像データ（画像データの名称やサムネイル画像であってもよい）をサンプル画像の候補として、表示部８に一覧表示させる（ステップＳ３）。
【００５０】
そして、ＣＰＵ２は、該一覧表示された画像データの中からユーザによってサンプル画像とする画像データが選択されたか否かを判断する（ステップＳ４）。このとき、ユーザは、一覧表示された画像データを見ながらマウス５またはキーボード６を操作することにより、サンプル画像にしたい画像データまたは画像ファイルを選択することができる。なお、記録媒体７や外部記録媒体１１に記録されている画像データまたは画像ファイルは、何もデジタルカメラ５１で撮影された画像データまたは画像ファイルに限らず、ＰＣ１上でユーザが作成、編集した画像データまたは画像ファイルであってもよいし、ダウンロードした画像データまたは画像ファイルであってもよい。要は画像データまたは画像ファイルであればよい。
【００５１】
ステップＳ４で、サンプル画像とする画像データまたは画像ファイルが選択されていないと判断すると、選択されたと判断するまでステップＳ４に留まる。そして、ステップＳ４で、サンプル画像とする画像データまたは画像ファイルが選択されたと判断すると、ＣＰＵ２は、該選択された画像データまたは画像ファイルに基づいてサンプル画像を生成し、これを当該付加情報データにおけるサンプル画像として設定する。そして、シーン選択画面サンプル２１の領域３の部分に該設定したサンプル画像を貼り付けて表示させ（ステップＳ５）、ステップＳ６に進む。このとき、ＣＰＵ２は、サンプル画像として選択された画像データまたは画像ファイルの所在を示す情報をメモリ４の画像所在情報記憶領域に記憶させておく。
【００５２】
一方、ステップＳ２で、新たにサンプル画像が選択設定されないと判断するとそのままステップＳ６に進む。ステップＳ６に進むと、ＣＰＵ２は、当該付加情報データとして設定されるシーン番号の設定を行なうか否かの判断を行う。この判断は、ユーザによるマウス５またはキーボード６の操作によりカーソルがシーン番号を表示するための領域２に移動され、且つ、クリック操作が行なわれたか否かにより判断する。このときカーソルが領域２に移動され、クリック操作が行なわれると、領域２は、テキスト入力することができる状態になる。そして、ユーザはキーボード６を操作することにより番号を入力することができる。
【００５３】
ステップＳ６で、新たにシーン番号の設定を行なうと判断すると、ＣＰＵ２は、番号の入力が完了したか否かを判断する（ステップＳ７）。この判断は、キーボード６のリターンキーの操作に対応する操作信号がキーボード６から送られてきたか否かにより判断する。ユーザは、キーボード６を操作することにより、番号を入力することができ、入力した番号でＯＫと思う場合にはリターンキーの操作を行なう。
【００５４】
ステップＳ７で、番号の入力が完了していないと判断すると、完了するまでステップＳ７に留まる。そして、ステップＳ７で、番号の入力が完了したと判断すると、ＣＰＵ２は、該入力された番号を当該付加情報データにおけるシーン番号として設定して（ステップＳ８）、ステップＳ９に進む。この設定されたシーン番号は、領域２に表示される。ここでは、デジタルカメラに予め記憶されている他のシーン選択画面に対応するシーン番号との重複を避けるため、入力されたシーン番号の前に頭文字Ｃが付加された番号を設定するものとする。図５（ｂ）に示す例では、ユーザは番号「１」を入力したとするので、設定される番号は「Ｃ１」となる。また、ＣＰＵ２は、設定直前の入力番号（頭文字Ｃは付加されていない番号）をメモリ４の番号記憶領域に記憶させておく。
【００５５】
一方、ステップＳ６で、シーン番号の設定を行なわないと判断すると、そのままステップＳ９に進む。ステップＳ９に進むと、ＣＰＵ２は、当該付加情報データにおけるシーンタイトルの設定を行なうか否かの判断を行う。この判断は、ユーザによるマウス５またはキーボード６の操作によりカーソルがシーンタイトルを表示するための領域４に移動され、且つ、クリック操作が行なわれたか否かにより判断する。このときカーソルが領域４に移動され、クリック操作が行なわれると、領域４はテキスト入力することができる状態になり、ユーザはキーボード６を操作することにより文章を入力することができる。
【００５６】
ステップＳ９で、新たにシーンタイトルの設定を行なうと判断すると、ＣＰＵ２は、タイトル（文章）の入力が完了したか否かを判断する（ステップＳ１０）。この判断は、キーボード６のリターンキーの操作に対応する操作信号がキーボード６から送られてきたか否かにより判断する。ユーザは、キーボード６を操作することにより、文章を入力することができ、入力したタイトルでＯＫと思う場合にはリターンキーの操作を行なう。
【００５７】
ステップＳ１０で、シーンタイトルの入力が完了していないと判断すると完了するまでステップＳ１０に留まる。そして、ステップＳ１０で、シーンタイトルの入力が完了したと判断すると、ＣＰＵ２は、該入力されたシーンタイトルを、当該付加情報データにおけるシーンタイトルとして設定して（ステップＳ１１）、ステップＳ１２に進む。
【００５８】
この設定されたシーンタイトルは、領域４に表示される。ここで、図５（ｂ）に示す例では、ユーザは「雪のスポーツを写します」と入力したとするので、該入力された文章がシーンタイトルとして設定される。このとき、ＣＰＵ２は、シーンタイトルとして設定する文章をメモリ４のタイトル記憶領域に記憶させておく。
【００５９】
一方、ステップＳ９で、シーンタイトルの入力を行なわないと判断するとそのままステップＳ１２に進む。ステップＳ１２に進むと、ＣＰＵ２は、当該付加情報データにおける解説の設定を行なうか否かの判断を行う。この判断は、ユーザによるマウス５またはキーボード６の操作によりカーソルが解説を表示するための領域５に移動され、且つ、クリック操作が行なわれたか否かにより判断する。このときカーソルが領域５に移動され、クリック操作が行なわれると、領域５は、テキスト入力することができる状態になり、ユーザはキーボード６を操作することにより文章を入力することができる。
【００６０】
ステップＳ１２で、新たに解説の設定を行なうと判断すると、ＣＰＵ２は、解説（文章）の入力が完了したか否かを判断する（ステップＳ１３）。この判断は、キーボード６のリターンキーの操作に対応する操作信号がキーボード６から送られてきたか否かにより判断する。ユーザは、キーボード６を操作することにより、文章を入力することができ、入力した説明でＯＫと思う場合にはリターンキーの操作を行なう。
【００６１】
図５（ｂ）では、新たに解説を入力している最中の表示部８に表示されている画面の様子を示している。ここでは、領域５はテキスト入力状態になっており「シャッタ速度が速くなり、」という文章が入力されている。なお、領域３には、ステップＳ５で設定されたサンプル画像が表示され、領域２には、「Ｃ１」というシーン番号が設定されて表示されている。更に、領域４には「雪のスポーツを写します」という文章がタイトルとして設定されて表示されている。
【００６２】
ステップＳ１３で、解説の入力が完了していないと判断すると、完了するまでステップＳ１３に留まる。そして、ステップＳ１３で、解説の入力が完了したと判断すると、ＣＰＵ２は、該入力された解説を当該付加情報データにおける解説として設定して（ステップＳ１４）、ステップＳ１５に進む。この確定された説明は、領域５に表示される。このとき、ＣＰＵ２は、解説として設定した文章をメモリ４の解説記憶領域に記憶させておく。
【００６３】
一方、ステップＳ１２で、解説の設定を行なわないと判断するとそのままステップＳ１５に進む。ステップＳ１５に進むと、ＣＰＵ２は、当該付加情報データにおけるシーン選択画面の背景画像の設定を行なうか否かを判断する。この判断は、マウス５の操作によりカーソルが領域１（シーン選択画面サンプル２１の中で領域２〜５以外の領域）に移動され、且つ、クリック操作が行なわれたか否かにより判断する。
【００６４】
そして、ステップＳ１５で、背景画像の設定を行なうと判断すると、ＣＰＵ２は、ＲＯＭ３に記録されている背景画像データまたは背景画像ファイルに基づいて、複数の背景画像を表示部８に一覧表示させる（ステップＳ１６）。
【００６５】
そして、ＣＰＵ２は、該一覧表示された背景画像の中からユーザによって任意の背景画像が選択されたか否かを判断する（ステップＳ１７）。このとき、ユーザは、一覧表示された背景画像を見ながらマウス５を操作することにより、シーン選択画面の背景画像として表示させたい背景画像を設定することができる。
【００６６】
ステップＳ１７で、背景画像が選択されていないと判断すると、背景画像が選択されたと判断するまでステップＳ１７に留まる。そして、ステップＳ１７で、背景画像が選択されたと判断すると、ＣＰＵ２は、該選択された背景画像を当該付属情報データにおける背景画像として設定して（ステップＳ１８）、ステップＳ１９に進む。このとき、ＣＰＵ２は、設定された背景画像データまたは背景画像ファイルの所在を示す情報をメモリ４の背景所在情報記憶領域に記憶させておく。
【００６７】
一方、ステップＳ１５で、シーン選択画面の背景画像の設定を行なわないと判断するとそのままステップＳ１９に進む。ステップＳ１９に進むと、サンプル画像、シーン番号、シーンタイトル、解説、及び背景画像のそれぞれが設定された当該付加情報データを確定するか否か、或いは、各要素が設定されていく過程で完成したシーン選択画面サンプル２１をシーン選択画面として確定するか否かの判断を行う。この判断は、ユーザによるマウス５またはキーボード６の操作によりカーソルが決定ボタン２２に移動され、且つ、クリック操作が行なわれたか否かにより判断する。
【００６８】
ステップＳ１９で、確定しないと判断すると、ステップ２に戻る。つまり、決定ボタン２２が操作されない間は、サンプル画像、シーン番号、シーンタイトル、解説、及び背景画像を自由に新規設定または変更設定することができる。
【００６９】
ステップＳ１９で、設定された付加情報データを確定すると判断すると、つまり、決定ボタン２２が操作されたと判断すると、ＣＰＵ２は、確定した当該付加情報データに基づくシーン選択画面の、シーン選択機能上での表示順位（デジタルカメラにセットアップされたときにおける、当該シーン選択画面の表示順位）が指定されたか否かを判断する（ステップＳ２０）。このとき、ＣＰＵ２は、表示順位を指定するための表示順位指定画面を表示部８に表示させ、ユーザは当該表示順位指定画面を見ながら表示順位を指定することができる。
【００７０】
図６（ａ）及び図６（ｂ）は、表示順位指定画面の例である。表示順位指定画面では、予めデジタルカメラに設定されている選択可能なシーンに対応するサンプル画像が、それぞれ対応するシーン選択画面の表示順位に従って配列表示される。そして、表示順位上、新たに追加可能な位置に対応するサンプル画像間に、例えば「Ａ」〜「Ｄ」の記号を用いて、挿入可能位置として指し示す。そして、ユーザが「Ａ」〜「Ｄ」までの記号のうち、任意の記号を指定することにより表示順位を指定することができる。
【００７１】
具体的には、図６（ａ）における記号「Ａ」が指し示す位置は、表示順位が、シーン番号１に対応するシーン選択画面の前になることを示している。つまり、表示順位が最初になることを示している。また、記号「Ｂ」が指し示す位置は、表示順位が、シーン番号１に対応するシーン選択画面とシーン番号２に対応するシーン選択画面との間になることを示している。また、図６（ｂ）における記号「Ｃ」が指し示す位置は、表示順位が、シーン番号２に対応するシーン選択画面とシーン番号３に対応するシーン選択画面との間になることを示している。また、記号「Ｄ」が指し示す位置は、表示順位が、シーン番号が最後の番号となっているシーン選択画面の後になることを示している。つまり、表示順位が最後になることを示している。
【００７２】
ステップＳ２０で、表示順位の指定がないと判断すると、指定されるまでステップＳ２０に留まる。そして、ステップＳ２０で、表示順位の指定があると判断すると、ＣＰＵ２は、画像所在情報記憶領域に記憶されている画像データまたは画像ファイルの所在の情報に基づく画像データ（サンプル画像）、番号記憶領域に記憶されている番号、タイトル記憶領域に記憶されているタイトル、説明記憶領域に記憶されている説明、背景所在情報記憶領域に記憶されている背景画像データまたは背景画像ファイルの所在の情報に基づく背景のデータ（背景画像）に基づいて、確定されたシーン選択画面としてのイメージ画像を再構築するとともに、これをＪＰＥＧ形式に圧縮し、シーン選択画像ファイルとして生成する（ステップＳ２１）。そして、生成したシーン選択画像ファイルは記録媒体７における、例えばベストショットフォルダに記録させる。このとき、記録されるシーン選択画像ファイルの名称は、番号記憶領域に記憶された番号及びステップＳ２０で指定された記号に基づいて定められる。
【００７３】
例えば、番号記憶領域に記憶された番号が「１」であり、指定された記号が「Ａ」の場合には、記録されるシーン選択画像ファイルのファイル名は「ＣＥＸＡ０００１」となる。このうち、「ＣＥＸ」は、各ファイル間で共通に使用され、「ＣＥＸ」の後の部分が指定された記号となる。つまり、ここでは「Ａ」となる。そして、その後に、４桁の数字が続く。この数字は、番号記憶領域に記憶されている番号を４桁の数字で表したものである。したがって、番号記憶領域に記憶された番号が「１」である場合には、「０００１」となる。つまり、別の例として、番号記憶領域に記憶された番号が「３」であり、指定された記号が「Ｄ」の場合には、シーン選択画像ファイルのファイル名は、「ＣＥＸＤ０００３」ということになる。なお、記録媒体７にベストショットフォルダがない場合は、ＣＰＵ２は、該フォルダを生成する。
【００７４】
次に、付加情報データ（付加情報データに基づいたシーン選択画像ファイル）とそれに対応する撮影条件との関連付けについて説明する。セットアップファイルを生成する際には、ベストショットフォルダに、シーン選択画面（上述したように生成したシーン選択画像ファイル）に対応させるパラメータ画像ファイルを、ユーザは前もって記録させておく。そして、この前もって記録させておくパラメータ画像ファイルにおける画像の撮影条件が、これと対応付けられてセットアップファイルとなるシーン選択画像ファイルに対応する撮影条件になる。つまり、パラメータ画像ファイルには、当該パラメータ画像ファイル中の画像における撮影時の種々の撮影条件情報や、当該画像を撮影したデジタルカメラを識別するための識別情報が含まれているため、これを利用する。
【００７５】
ここで、デジタルカメラで撮影された画像ファイルを、外部記録媒体１１を介して記録媒体７にパラメータ画像ファイルとして記録させるようにしてもよいし、Ｉ／Ｏポート９を介してデジタルカメラとＰＣ１を接続することにより、デジタルカメラで撮影された画像ファイルをパラメータ画像ファイルとして記録媒体７に記録させるようにしてもよい。
【００７６】
図７は、ベストショットフォルダの中の様子を示す図である。シーン選択画像ファイルとして、ここでは、４つの画像ファイルが記録されている例を示す。また、それぞれに対応させて４つのパラメータ画像ファイルも記録されている。
【００７７】
ここで、パラメータ画像ファイルのファイル名の下４桁の数字が、シーン選択画像ファイルのファイル名の下４桁の数字と同じ数字となっているパラメータ画像ファイルを、該シーン選択画像ファイルに対応させるパラメータ画像ファイルとする。このため、ユーザは、対応付けたいシーン選択画像ファイルの下４桁の数字が一致するようにパラメータ画像ファイルのファイル名を変更させる。また、シーン選択画像ファイルとパラメータ画像ファイルとが識別可能なように、パラメータ画像ファイルのファイル名の先頭３文字を「ＣＩＭ」とする。
【００７８】
つまり、例えば「ＣＥＸＡ０００１．ｊｐｇ」というシーン選択画像ファイルに対応するパラメータ画像ファイルは「ＣＩＭＧ０００１．ｊｐｇ」とし、「ＣＥＸＡ０００２．ｊｐｇ」というシーン選択画像ファイルに対応するパラメータ画像ファイルは「ＣＩＭＧ０００２．ｊｐｇ」とし、「ＣＥＸＡ０００３．ｊｐｇ」というシーン選択画像ファイルに対応するパラメータ画像ファイルは「ＣＩＭＧ０００３．ｊｐｇ」とし、「ＣＥＸＡ０００４．ｊｐｇ」というシーン選択画像ファイルに対応するパラメータ画像ファイルは「ＣＩＭＧ０００４．ｊｐｇ」とする。
【００７９】
このパラメータ画像ファイルのファイル名の変更は、例えば、図７に示すようにベストショットフォルダに記憶されている画像ファイル名が表示されている状態で、ユーザがマウス５またはキーボード６を操作する。そして、カーソルを、ファイル名を変更したいファイルに移動させ、クリック操作すると、ファイル名が変更できる状態となる。そして、ユーザはキーボード６を操作することによりファイル名を入力し、入力したファイル名でＯＫと思う場合は、リターンキーの操作を行なうことによりファイル名を変更することができる。
【００８０】
次に、シーン選択画像ファイルとパラメータ画像ファイルとに基づいたセットアップファイルの生成動作を図８のフローチャートにしたがって説明する。まず、ＣＰＵ２は、セットアップファイルの生成を行なうか否かの判断を行う（ステップＳ５１）。この判断は、図７に示すように、ベストショットフォルダ内のファイル名が表示されている状態で、例えば、ユーザのマウス５またはキーボード６の操作によりカーソルが実行対象ファイルのいずれかのファイル名上に移動され、クリック操作が行なわれたか否かにより判断する。
【００８１】
ステップＳ５１で、セットアップファイルの生成を行なわないと判断すると、セットアップファイルの生成が行われるまでステップＳ５１に留まる。そして、ステップＳ５１で、セットアップファイルの生成を行なうと判断すると、ＣＰＵ２は、ベストショットフォルダに記録されている全てのパラメータ画像ファイル間で、パラメータ画像ファイル中の画像を撮影したデジタルカメラを示す識別情報が一致するか否かを判断する（ステップＳ５２）。この識別情報は、パラメータ画像ファイルの中に含まれているので、これに基づいて一致するか否かの判断を行う。
【００８２】
ステップＳ５２で、全てのパラメータ画像ファイルにおける識別情報が同一でないと判断すると、ＣＰＵ２は、識別情報が同一でない旨を表示部８に表示させることでユーザに報知して（ステップＳ５３）、動作を終了する。このとき、ベストショットフォルダにパラメータ画像ファイルが記録されていない場合も、識別情報が同一でないと判断する。
【００８３】
一方、ステップＳ５２で、全てのパラメータ画像ファイルにおける識別情報が同一であると判断すると、ＣＰＵ２は、ファイル名の下４桁の数字が一番小さいシーン選択画像ファイルを選択する（ステップＳ５４）。図７に示すようなファイル名のシーン選択画像ファイルがベストショットフォルダに記録されている場合は、ファイル名が「ＣＥＸＡ０００１．ｊｐｇ」というシーン選択画像ファイルを選択する。
【００８４】
次いで、ＣＰＵ２は、該選択したシーン選択画像ファイルに対応させるパラメータ画像ファイルがベストショットフォルダ内にあるか否かの判断を行う（ステップＳ５５）。つまり、ファイル名における下４桁の数字が、選択したシーン選択画像ファイルにおけるファイル名の下４桁の数字と同じになっているパラメータ画像ファイルがあるか否かを判断する。
【００８５】
ステップＳ５５で、該選択したシーン選択画像ファイルに対応するパラメータ画像ファイルがベストショットフォルダ内に無いと判断するとステップＳ５８に進む。
【００８６】
一方、ステップＳ５５で、該選択したシーン選択画像ファイルに対応するパラメータ画像ファイルがベストショットフォルダ内にあると判断すると、該選択しているシーン選択画像ファイル及びそれに対応するパラメータ画像ファイルに基づいて内部ファイルを生成して記録媒体７に記録して（ステップＳ５７）、ステップＳ５８に進む。つまり、対応するパラメータ画像ファイル中の画像における撮影時の撮影条件を抽出し、この抽出した撮影条件を該選択しているシーン選択画像ファイルに付加した内部ファイルを生成する。この内部ファイルは、後述するセットアップファイルの1部であり、セットアップファイルは、内部ファイルによって構成されている。
【００８７】
ステップＳ５８に進むと、ＣＰＵ２は、未だ選択されていないシーン選択画像ファイルがベストショットフォルダ内にあるか否かの判断を行う。ステップＳ５８で、未だ選択されていないシーン選択画像ファイルがあると判断すると、ステップＳ５６で、ファイル名の下４桁の数字が次に小さいシーン選択画像ファイルを選択して、ステップＳ５５に戻る。
【００８８】
一方、ステップＳ５８で、未だ選択されていないシーン選択画像ファイルがベストショットフォルダ内にないと判断すると、生成した全ての内部ファイルに基づいてセットアップファイルを生成して記録する（ステップＳ５９）。
【００８９】
なお、ここでは、シーン選択画像ファイルとそれに対応させるパラメータ画像ファイルとに基づいて内部ファイルを生成し、生成された１以上の内部ファイルに基づいてセットアップファイルを生成するようにしたが、個々にセットアップファイルを生成するようにしてもよい。つまり、ステップＳ５７で、内部ファイルを生成することなく、シーン選択画像ファイルとそれに対応させるパラメータ画像ファイルとに基づいてセットアップファイルを生成し、ステップＳ５８に進むようにしてもよい。この場合は、ステップＳ５９の動作は必要なくなる。
【００９０】
そして、該生成したセットアップファイルを外部記録媒体１１を介して、デジタルカメラ５１にセットアップさせることにより、シーン選択機能において、上述したように生成されたシーン選択画面が選択可能となり、これに対応した撮影条件を設定することが可能となる。
【００９１】
なお、デジタルカメラで、新たな種別のシーンに対応するシーン選択画面を表示させる場合には、上述したように生成されたシーン選択画面を表示させる。また、サンプル画像をマルチ表示させる場合には、これに表示される新たな種別のシーンに対応するサンプル画像は、シーン選択画面におけるサンプル画像領域（図３を用いて説明すると、領域３の部分）を切り出し加工して表示させる。また、タイトルを表示させるときはタイトル部分の画像を切り出して表示させる。
【００９２】
なお、ユーザによって指定された表示順位で該作成されたシーン選択画面が表示されることは言うまでもない。また、このセットアップされた状態は、デジタルカメラがフォーマット処理されてもリセットされないような態様でセットアップされることが好ましい。
【００９３】
ところで、上述したように生成したセットアップファイルを用いたデジタルカメラ５１のセットアップは、以下のようにして行うことができる。まず、セットアップファイルが記録された外部記憶媒体１１としてのフラッシュメモリ６３を、デジタルカメラ５１の電源がオフの状態で、当該デジタルカメラ５１に接続する。そして、当該デジタルカメラ５１の、例えばメニューキーを押下しながら電源ボタンを操作することで、当該デジタルカメラの電源をオン状態にする。これにより、ＣＰＵ６０は、接続されているフラッシュメモリ６３からセットアップファイルを自動的に読み出して、シーン選択機能を実行する際の、データの一部として内部記録する。なお、ＣＰＵ６０は、シーン選択画面を表示する際には、セットアップファイルを構成しているシーン選択画像ファイルのファイル名に基づいて表示順位を決定することとなる。このとき、予め用意されていた各シーン選択画面間での表示順位が変更されることはない。つまり、新たに追加されたシーン選択画面は、上述したように設定された表示順位で、単に挿入されることとなる。
【００９４】
つまり、本実施の形態では、撮影シーンに対応させて撮影条件が関連付けられて記憶されている記憶手段から、各撮影シーンに対応したシーン選択画面のいずれかが選択されることで、選択された撮影シーンに対応する撮影条件を読み出して、当該撮影条件を設定する撮影条件設定手段を備えたデジタルカメラに対して、新たに選択可能とするシーン選択画面を追加するに際し、シーン選択画面の表示構成要素が表示される領域毎に領域分割したテンプレートを用意し、前記領域毎に、各表示構成要素を個別に入力するとともに、前記各構成要素が入力されたテンプレートを前記追加するシーン選択画面として設定し、該設定したシーン選択画面に撮影条件を対応付けている。
【００９５】
以上のように、本実施の形態においては、セットアップファイル作成プログラムが起動されると、シーン選択画面サンプル２１を表示させ、該表示されたシーン選択画面サンプル２１に、ユーザによって選択されたサンプル画像、背景画像を貼り付けて表示したり、ユーザによって入力されたシーン番号、シーンタイトル、解説を表示させる。このとき、シーン選択画面サンプル２１が、シーン選択機能で表示されるシーン選択画面と同等の表示状態となるので、ユーザは、シーン選択画面をイメージしながらシーン選択画面を自由に作成することができる。また、新たに追加するシーン選択画面の表示順位を指定して記録させることができるので、表示順位もユーザが指定することができる。更に、これらに、撮影時に設定される好みの撮影条件を対応付けることもできる。
【００９６】
［変形例］
上記実施の形態は以下のような変形例も可能である。
【００９７】
（１）上記実施の形態においては、ユーザがシーン番号やシーンタイトル、解説をキーボード入力するようにしたが、予め用意されたシーン番号群、シーンタイトル群または解説群の中から、それぞれ任意のものを選択するようにしてもよい。
【００９８】
（２）また、上記実施の形態においては、シーン選択画像ファイルのファイル名によってシーン選択画面の表示順位を定めるようにしたが、シーン選択画像ファイルに内に表示順位を示す情報を付加するようにしてもよい。
【００９９】
（３）また、上記実施の形態においては、作成するシーン選択画面の表示順位は「Ａ」〜「Ｄ」の中から選択させるようにしたが（図６参照）、ユーザが任意に表示順位を決めることができるようにしてもよい。
【０１００】
（４）また、上記実施の形態においては、セットアップファイルを生成する際に、選択したシーン選択画像ファイルに対応するパラメータ画像ファイルがないと判断した場合は（図８のステップＳ５５でＮに分岐）、ファイル名における下４桁の数字が、次に小さい数字のシーン選択画像ファイルがあるか否かを判断したが（図８のステップＳ５８）、選択したシーン選択画像ファイルに対応するパラメータ画像ファイルがないと判断した場合は、内部ファイルの生成を中止して、ステップＳ５９に進み、既に生成した内部ファイルに基づいてセットアップファイルを生成するようにしてもよい。
【０１０１】
（５）また、上記実施の形態においては、シーン選択画像ファイルとパラメータ画像ファイルとに基づいて、セットアップファイルを生成するようにしたが、シーン選択画像ファイルに、パラメータ画像ファイルに基づくことなく撮影条件を付加して、セットアップファイルを生成するようにしてもよい。
【０１０２】
（６）また、上記実施の形態においては、シーン選択画像ファイルに対応するパラメータ画像ファイルにおける撮影条件を、新たに追加するシーン選択画面に対応する撮影条件としたが、ユーザが撮影条件の入力や調整を行なうことができるようにし、該入力、調整された撮影条件を新たに追加するシーン選択画面に対応する撮影条件としてもよい。
【０１０３】
（７）また、上記実施の形態においては、サンプル画像、シーンタイトル、解説、シーン番号、背景画像などからなるシーン選択画面サンプルを１画面の画像データとして記録し、セットアップファイルを生成するようにしたが、シーン選択画面サンプルとしての１画面の画像データではない状態で、サンプル画像、シーンタイトル、解説、シーン番号、背景画像がそれぞれ対応付けられた付加情報データからなるセットアップファイルを生成し、これに基づいてデジタルカメラ側で、シーン選択画面を再構築してもよい。
【０１０４】
（８）また、上記実施の形態においては、ＰＣを用いて、シーン選択画面としての付加情報データの設定や、これに対応する撮影条件の設定を行ったが、デジタルカメラなどの撮影装置で行なってもよく、このような場合は、セットアップファイルを生成することなく、作成された付加情報データと撮影条件とを関連付けてそのままデジタルカメラのメモリに記憶させるようにしてもよい。
【０１０５】
（９）また、上記実施の形態においては、選択されたサンプル画像における撮影時の撮影条件を、当該シーン選択画面の撮影条件として自動的に設定するようにしてもよい。この場合は、パラメータ画像ファイルは必要なくなる、または、選択されたサンプル画像に対応するサンプル画像ファイルを自動的にベストショットフォルダに複写移動させ、これをパラメータ画像ファイルとして代用する。サンプル画像ファイルをパラメータ画像ファイルとして代用する場合には、複写移動されたサンプル画像ファイルのファイル名を、対応するシーン選択画像ファイルのファイル名に基づいて、自動的にファイル名を変更してもよい。
【０１０６】
（１０）また、撮像装置は、上記の実施の形態のようにデジタルカメラに限定されるものではなく、携帯電話、ＰＤＡ、デジタルビデオカメラ等でもよく、要は画像データの編集や撮影条件を付加することができる機器であればよい。
【図面の簡単な説明】
【０１０７】
【図１】パーソナルコンピュータの電気的な概略構成を示すブロック図である。
【図２】デジタルカメラに記録されている各シーンに対応した撮影条件、付加情報データの内容を示す図である。
【図３】デジタルカメラにおいて表示されたシーン選択画面、サンプル画像の一覧表示画面の様子を示す図である。
【図４】付加情報データの設定のための動作を示すフローチャートである。
【図５】付加情報データを設定するための画面の様子を示す図である。
【図６】表示順位の設定を説明するための図である。
【図７】ベストショットフォルダの中の様子を示す図である。
【図８】セットアップファイルの生成動作を示すフローチャートである。
【図９】デジタルカメラの電気的な概略構成を示すブロック図である。
【図１０】十字キーを説明するための図である。
【符号の説明】
【０１０８】
１      パーソナルコンピュータ
２      ＣＰＵ
３      ＲＯＭ
４      メモリ
５      マウス
６      キーボード
７      記録媒体
８      表示部
９      Ｉ／Ｏポート
１０    カードＩ／Ｆ
１１    外部記録媒体
【図１】
2007336514.tif 000003
【図２】
2007336514.tif 000004
【図３】
2007336514.tif 000005
【図４】
2007336514.tif 000006
【図５】
2007336514.tif 000007
【図６】
2007336514.tif 000008
【図７】
2007336514.tif 000009
【図８】
2007336514.tif 000010
【図９】
2007336514.tif 000011
【図１０】
2007336514.tif 000012